(57)【特許請求の範囲】
【請求項１】
天井面（Ｃ）に形成された開口（１３）に臨むように配置され且つ送風機（４）と該送風機（４）を囲繞する熱交換器（５）とを内蔵した空気調和機本体（１）と、前記開口（１３）を覆うとともに室内へ空調空気（Ｗ）を吹き出す空気吹出口（７）を形成してなる吹出パネル（２）とを有する空気調和機であって、前記吹出パネル（２）の外周部には、前記天井面（Ｃ）に沿う付加的吹出流れ（ｗ′）を発生させる補助吹出口（１４）を形成するとともに、該補助吹出口（１４）と前記熱交換器（５）の風上側とを連通するバイパス通路（１５）を設けたことを特徴とする空気調和機。
【請求項２】
前記バイパス通路（１５）を、前記熱交換器（５）の下側を通って前記補助吹出口（１４）に至る通路により構成したことを特徴とする前記請求項１記載の空気調和機。
【請求項３】
前記バイパス通路（１５）を、前記空気調和機本体（１）のケーシング（３）外壁に沿って前記補助吹出口（１４）に至る通路により構成したことを特徴とする前記請求項１記載の空気調和機。
【請求項４】
前記バイパス通路（１５）を、前記空気調和機本体（１）のケーシング（３）内壁に沿って前記補助吹出口（１４）に至る通路により構成したことを特徴とする前記請求項１記載の空気調和機。
【請求項５】
前記バイパス通路（１５）を、前記空気調和機本体（１）のケーシング（３）内面に配設された断熱材（１６）の中を通って前記補助吹出口（１４）に至る通路により構成したことを特徴とする前記請求項１記載の空気調和機。
【請求項６】
前記補助吹出口（１４）を、少なくとも前記空気吹出口（７）の全体に対応する部位に形成したことを特徴とする前記請求項１、２、３、４および５のいずれか一項記載の空気調和機。
【請求項７】
前記補助吹出口（１４）を、前記空気吹出口（７）において吹出速度勾配が大きな端部付近に対応する部位にのみ形成したことを特徴とする前記請求項１、２、３、４および５のいずれか一項記載の空気調和機。
【請求項８】
前記バイパス通路（１５）には、必要に応じて開閉作動されるダンパー（１７）を付設したことを特徴とする前記請求項１、２、３、４、５、６および７のいずれか一項記載の空気調和機。
【請求項９】
天井面（Ｃ）に形成された開口（１３）に臨むように配置された空気調和機本体（１）と、前記開口（１３）を覆うとともに室内へ空調空気（Ｗ）を吹き出す空気吹出口（７）を形成してなる吹出パネル（２）とを有する空気調和機であって、前記空気吹出口（７）の外側口縁（７ａ）には、前記天井面（Ｃ）近傍に生ずる２次流れ（ｗ）を吸収する凹溝（１８）を前記空気吹出口（７）に沿うようにして形成するとともに、前記凹溝（１８）内には、静電材料（１９）を貼り替え可能に貼り付けたことを特徴とする空気調和機。
【請求項１０】
前記空気吹出口（７）を円環形状とするとともに、前記凹溝（１８）を円環形状としたことを特徴とする前記請求項９記載の空気調和機。
【発明の詳細な説明】
【０００１】
【発明の属する技術分野】
【０００２】
本願発明は、天井面に形成された開口に臨むようにして設置される空気調和機に関するものである。
【従来の技術】
【０００３】
例えば、天井埋込式の空気調和機は、図１７および図１８に示すように、天井面Ｃに形成された開口１３に臨むように配置され空気調和機本体１と、前記開口１３を覆う吹出パネル２とを備えて構成されており、前記空気調和機本体１は、矩形形状のケーシング３内の中央部に配設された送風機４（例えば、ターボファン）と該送風機４を囲繞する熱交換器５とを備え、前記吹出パネル２には、中央部に位置して室内空気を吸い込む空気吸込口６と、該空気吸込口６を囲む４個の空気吹出口７，７・・とが形成されている。符号８は吸込グリル、９は吹出空気流の方向を調整する風向調整羽根、１０は送風機４の吸込側と吹出側とを仕切るベルマウス、１１はファンモータ、１２はドレンパンである。
【０００４】
上記構成の空気調和機の場合、暖房運転時においては各空気吹出口７から吹き出される空気流は、空気流の到達距離をかせぐために風向調整羽根９により下向き方向とされ、冷房運転時においては各空気吹出口７から吹き出される空気流は、コールドドラフトを回避するために風向調整羽根９により略水平方向とされる。
【発明が解決しようとする課題】
【０００５】
ところが、上記構造の空気調和機では、吹出空気の流れによって空気吹出口近傍の天井面へ汚れが付着し、美観上大きな問題となっている。この天井汚れは、空気吹出口７からの吹出空気流Ｗと天井面Ｃに近い静止した空気との速度差により天井面Ｃの近傍の低圧域Ｆに２次流れｗが発生し、空気中の塵などの汚れの元になる粒子Ｐが前記２次流れｗによって対流して天井面Ｃへ衝突することで起こる。また、空気吹出口７の両端部では、吹出空気の速度勾配が大きくなっているため、側面側から室内空気Ｗ′を巻き込み、図１８に鎖線で示す領域Ｒにおいて天井面Ｃへの汚れ粒子Ｐの付着が助長される。特に、略水平方向の吹出となる冷房運転時において、上記した汚れ粒子Ｐの付着が顕著となる。
【０００６】
上記のような問題に対処するために、例えば特開平７−３２４８０２号公報においては吹出口フラップ形状を改良することで、また特開平１１−１１８２３３号公報においては吹出口フラップおよび吹出形状を工夫することで天井面への汚れ付着を軽減させるようにしているが、十分な効果が得られていない。
【０００７】
本願発明は、上記の点に鑑みてなされたもので、上記した２次流れに乗った汚れ粒子の天井面への付着を確実に防止することを目的とするものである。
【課題を解決するための手段】
【０００８】
請求項１の発明では、上記課題を解決するための手段として、天井面Ｃに形成された開口１３に臨むように配置され且つ送風機４と該送風機４を囲繞する熱交換器５とを内蔵した空気調和機本体１と、前記開口１３を覆うとともに室内へ空調空気Ｗを吹き出す空気吹出口７を形成してなる吹出パネル２とを有する空気調和機において、前記吹出パネル２の外周部に、前記天井面Ｃに沿う付加的吹出流れｗ′を発生させる補助吹出口１４を形成するとともに、該補助吹出口１４と前記熱交換器５の風上側とを連通するバイパス通路１５を設けている。
【０００９】
上記のように構成したことにより、空気調和機の運転中（特に、冷房運転中）において、補助吹出口１４から天井面Ｃに沿う付加的吹出流れｗ′が形成されることとなり、該付加的吹出流れｗ′のエアーカーテン作用によって、空気吹出口７からの吹出空気流Ｗと天井面Ｃに近い静止した空気との速度差により天井面Ｃの近傍の低圧域Ｆに発生する２次流れｗに乗った汚れ粒子Ｐの天井面Ｃへの付着が格段に低減されることとなる。従って、天井面Ｃの汚れを効果的に防止することができる。しかも、補助吹出口１４からの付加的吹出流れｗ′は、熱交換器５を通過する前の１次空気となるため、例えば天井面Ｃに結露等が生じるということがなくなる。
【００１０】
請求項２の発明におけるように、請求項１記載の空気調和機において、前記バイパス通路１５を、前記熱交換器５の下側を通って前記補助吹出口１４に至る通路により構成した場合、バイパス通路１５の長さを可及的に短くすることができる。
【００１１】
請求項３の発明におけるように、請求項１記載の空気調和機において、前記バイパス通路１５を、前記空気調和機本体１のケーシング３外壁に沿って前記補助吹出口１４に至る通路により構成した場合、外方に露出している部分にバイパス通路１５が形成されることとなり、通路構成が容易となる。
【００１２】
請求項４の発明におけるように、請求項１記載の空気調和機において、前記バイパス通路１５を、前記空気調和機本体１のケーシング３内壁に沿って前記補助吹出口１４に至る通路により構成した場合、空気調和機本体１の外寸を大きくすることなくバイパス通路１５を形成できることとなり、製品のコンパクト化に寄与する。
【００１３】
請求項５の発明におけるように、請求項１記載の空気調和機において、前記バイパス通路１５を、前記空気調和機本体１のケーシング３内面に配設された断熱材１６の中を通って前記補助吹出口１４に至る通路により構成した場合、空気調和機本体１の外寸を大きくすることなくバイパス通路１５を形成できることとなり、製品のコンパクト化に寄与するとともに、予めバイパス通路１５を形成した断熱材１６をケーシング３の内面に配設すればよいこととなり、通路構成が容易となる。
【００１４】
請求項６の発明におけるように、請求項１、２、３、４および５のいずれか一項記載の空気調和機において、前記補助吹出口１４を、少なくとも前記空気吹出口７の全体に対応する部位に形成した場合、空気吹出口７から吹き出される空気流Ｗと天井面Ｃに近い静止した空気との速度差により天井面Ｃの近傍の低圧域Ｆに発生する２次流れｗに乗った汚れ粒子Ｐの天井面Ｃへの付着が、補助吹出口１４からの付加的吹出流れｗ′により少なくとも空気吹出口７の全面で防止されることとなり、汚れ防止効果が大きくなる。
【００１５】
請求項７の発明におけるように、請求項１、２、３、４および５のいずれか一項記載の空気調和機において、前記補助吹出口１４を、前記空気吹出口７において吹出速度勾配が大きな端部付近に対応する部位にのみ形成した場合、２次流れｗに乗った汚れ粒子Ｐの天井面Ｃへの付着が顕著に生ずる部位に限定して付加的吹出流れｗ′が発生することとなり、効率的な汚れ付着防止効果が得られる。
【００１６】
請求項８の発明におけるように、請求項１、２、３、４、５、６および７のいずれか一項記載の空気調和機において、前記バイパス通路１５に、必要に応じて開閉作動されるダンパー１７を付設した場合、空気吹出口７からの吹出空気流Ｗの向きが略水平方向となるとき以外は付加的吹出流れｗ′を発生させる必要がないため、ダンパー１７を閉作動させることにより、無駄な付加的吹出流れｗ′を発生しなくともよくなる。
【００１７】
請求項９の発明では、上記課題を解決するための手段として、天井面Ｃに形成された開口１３に臨むように配置された空気調和機本体１と、前記開口１３を覆うとともに室内へ空調空気を吹き出す空気吹出口７を形成してなる吹出パネル２とを有する空気調和機において、前記空気吹出口７の外側口縁７ａに、天井面Ｃ近傍に生ずる２次流れｗを吸収する凹溝１８を前記空気吹出口７に沿うようにして形成するとともに、前記凹溝１８内に、静電材料１９を貼り替え可能に貼り付けている。
【００１８】
上記のように構成したことにより、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収されることとなり、２次流れｗに乗った汚れ粒子Ｐの天井面Ｃへの付着が格段に低減されることとなる。従って、天井面Ｃの汚れを効果的に防止することができる。しかも、凹溝１８内に、静電材料１９を貼り替え可能に貼り付けたことにより、凹溝１８に吸収される２次流れｗに乗った汚れ粒子Ｐが凹溝１８内において静電材料１９に吸着捕獲されることとなり、天井面Ｃへの汚れ付着をより効果的に低減できる。なお、静電材料１９に多くの汚れ粒子Ｐが吸着して見苦しくなると、静電材料１９を新しいものに貼り代えればよい。
【００１９】
請求項１０の発明におけるように、請求項９記載の空気調和機において、前記空気吹出口７を円環形状とするとともに、前記凹溝１８を円環形状とした場合、空気吹出口７の全域に対応する部位に生ずる２次流れｗが凹溝１８に吸収されることとなり、２次流れｗに乗った汚れ粒子Ｐの天井面Ｃへの付着がより効果的に低減できる。
【発明の実施の形態】
【００２０】
以下、添付の図面を参照して、本願発明の幾つかの好適な実施の形態について詳述する。
【００２１】
第１の実施の形態
図１ないし図３には、本願発明の第１の実施の形態にかかる空気調和機が示されている。
【００２２】
この空気調和機は、従来技術の項において既に説明したものとほぼ同じ構造とされており、図１および図３に示すように、天井面Ｃに形成された開口１３に臨むように配置された空気調和機本体１と、前記開口１３を覆う吹出パネル２とを備えて構成されており、前記空気調和機本体１は、矩形形状のケーシング３内の中央部に配設された送風機４（例えば、ターボファン）と該送風機４を囲繞する熱交換器５とを備え、前記吹出パネル２には、中央部に位置して室内空気を吸い込む空気吸込口６と、該空気吸込口６を囲む４個の空気吹出口７，７・・とが形成されている。符号８は吸込グリル、９は吹出空気流の方向を調整する風向調整羽根、１０は送風機４の吸込側と吹出側とを仕切るベルマウス、１１はファンモータ、１２はドレンパンである。
【００２３】
前記吹出パネル２の外周部には、前記天井面Ｃに沿う付加的吹出流れｗ′を発生させる補助吹出口１４が形成されている。この場合、該補助吹出口１４は、図２に示すように、前記空気吹出口７において吹出速度勾配が大きな端部付近に対応する部位にのみ形成されている。そして、前記補助吹出口１４と前記熱交換器５の風上側とは、該熱交換器５の下側を通って前記補助吹出口１４に至る通路からなるバイパス通路１５を介して連通されている。
【００２４】
上記のように構成したことにより、空気調和機の運転中（特に、冷房運転中）において、補助吹出口１４から天井面Ｃに沿う付加的吹出流れｗ′が形成されることとなり、該付加的吹出流れｗ′によって、空気吹出口７からの吹出空気流Ｗと天井面Ｃに近い静止した空気との速度差により天井面Ｃの近傍の低圧域Ｆに発生する２次流れｗに乗った汚れ粒子Ｐの天井面Ｃへの付着が格段に低減されることとなる。従って、天井面Ｃの汚れを効果的に防止することができる。
【００２５】
しかも、補助吹出口１４からの付加的吹出流れｗ′は、熱交換器５を通過する前の１次空気となるため、例えば天井面Ｃに結露等が生じるということがなくなる。
【００２６】
また、熱交換器５の下側を通って補助吹出口１４に至る通路によりバイパス通路１５を構成するようにしているので、バイパス通路１５の長さを可及的に短くすることができる。
【００２７】
さらに、補助吹出口１４を、空気吹出口７において吹出速度勾配が大きな端部付近に対応する部位にのみ形成するようにしているので、２次流れｗに乗った汚れ粒子Ｐの天井面Ｃへの付着が顕著に生ずる部位に限定して付加的吹出流れｗ′が発生することとなり、効率的な汚れ付着防止効果が得られる。この場合、熱交換器５を通過した空調空気が空気吹出口７に至る通路にバイパス通路１５を形成する必要がないので、空調空気の流通を阻害することがなくなる。
【００２８】
第２の実施の形態
図４および図５には、本願発明の第２の実施の形態にかかる空気調和機が示されている。
【００２９】
この場合、バイパス通路１５は、空気調和機本体１のケーシング３外壁に沿って補助吹出口１４に至る通路により構成されている。このようにすると、外方に露出している部分にバイパス通路１５が形成されることとなり、通路構成が容易となる。また、この場合には、熱交換器５を通過した空調空気の流通を阻害するおそれがないので、図５に示すように、補助吹出口１４を、空気吹出口７の全体に対応する部位を含む吹出パネル２の全面に形成することができ、空気吹出口７から吹き出される空気流Ｗと天井面Ｃに近い静止した空気との速度差により天井面Ｃの近傍の低圧域Ｆに発生する２次流れｗに乗った汚れ粒子Ｐの天井面Ｃへの付着が、補助吹出口１４からの付加的吹出流れｗ′により全面で防止されることとなり、汚れ防止効果が大きくなる。なお、補助吹出口１４は、空気吹出口７の略全体に対応する部位にのみ、あるいは第１の実施の形態におけると同様に空気吹出口７において吹出速度勾配が大きな端部付近に対応する部位にのみ形成するようにしてもよいことは勿論である。その他の構成および作用効果は、第１の実施の形態におけると同様なので説明を省略する。
【００３０】
第３の実施の形態
図６には、本願発明の第３の実施の形態にかかる空気調和機が示されている。
【００３１】
この場合、バイパス通路１５は、空気調和機本体１のケーシング３内壁に沿って補助吹出口１４に至る通路により構成されている。つまり、図７（イ）に示すように、ケーシング３と該ケーシング３の内面に貼設された断熱材１６との間にバイパス通路１５が形成されているのである。このようにすると、空気調和機本体１の外寸を大きくすることなくバイパス通路１５を形成できることとなり、製品のコンパクト化に寄与する。なお、図７（ロ）に示すように、バイパス通路１５を、前記断熱材１６の中を通って補助吹出口１４に至る通路により構成してもよく、その場合には、空気調和機本体１の外寸を大きくすることなくバイパス通路１５を形成できることとなり、製品のコンパクト化に寄与するとともに、予めバイパス通路１５を形成した断熱材１６をケーシング３の内面に配設すればよいこととなり、通路構成が容易となる。また、この場合にも、熱交換器５を通過した空調空気の流通を阻害するおそれがないので、第２の実施の形態におけると同様に、補助吹出口１４を、空気吹出口７の全体に対応する部位を含む吹出パネル２の全面に形成することができ（図５参照）、空気吹出口７から吹き出される空気流Ｗと天井面Ｃに近い静止した空気との速度差により天井面Ｃの近傍の低圧域Ｆに発生する２次流れｗに乗った汚れ粒子Ｐの天井面Ｃへの付着が、補助吹出口１４からの付加的吹出流れｗ′により全面で防止されることとなり、汚れ防止効果が大きくなる。なお、補助吹出口１４は、空気吹出口７の略全体に対応する部位にのみ、あるいは第１の実施の形態におけると同様に空気吹出口７において吹出速度勾配が大きな端部付近に対応する部位にのみ形成するようにしてもよいことは勿論である。その他の構成および作用効果は、第１の実施の形態におけると同様なので説明を省略する。
【００３２】
第４の実施の形態
図８および図９には、本願発明の第４の実施の形態にかかる空気調和機が示されている。
【００３３】
この場合、バイパス通路１５は、空気調和機本体１のケーシング３内壁に沿って補助吹出口１４に至る通路により構成されており、該バイパス通路１５の入口側には、必要に応じて開閉作動されるダンパー１７が付設されている。該ダンパー１７は、ケーシング３の天板上に設けられたモータ２０により開閉作動されることとなっている。符号２１は減速機構である。このダンパー１７は、冷房運転時にのみ開作動されるようにしてもよいし、風向調整羽根９が自動的にスイングするタイプのものでは、風向調整羽根９が略水平吹出となるような角度にスイングされたときのみ開作動されるようにしてもよい。このようにすると、空気吹出口７からの吹出空気流Ｗの向きが略水平方向となるとき以外は付加的吹出流れｗ′を発生させる必要がないため、ダンパー１７を閉作動させることにより、無駄な付加的吹出流れｗ′を発生しなくともよくなる。また、この場合にも、熱交換器５を通過した空調空気の流通を阻害するおそれがないので、第２の実施の形態におけると同様に、補助吹出口１４を、空気吹出口７の全体に対応する部位を含む吹出パネル２の全面にに形成することができ（図５参照）、空気吹出口７から吹き出される空気流Ｗと天井面Ｃに近い静止した空気との速度差により天井面Ｃの近傍の低圧域Ｆに発生する２次流れｗに乗った汚れ粒子Ｐの天井面Ｃへの付着が、補助吹出口１４からの付加的吹出流れｗ′により全面で防止されることとなり、汚れ防止効果が大きくなる。なお、補助吹出口１４は、空気吹出口７の略全体に対応する部位にのみ、あるいは第１の実施の形態におけると同様に空気吹出口７において吹出速度勾配が大きな端部付近に対応する部位にのみ形成するようにしてもよいことは勿論である。その他の構成および作用効果は、第１の実施の形態におけると同様なので説明を省略する。
【００３４】
第５の実施の形態
図１０ないし図１２には、本願発明の第５の実施の形態にかかる空気調和機が示されている。
【００３５】
この場合、各空気吹出口７の外側口縁７ａには、天井面Ｃ近傍に生ずる２次流れｗを吸収する凹溝１８が前記各空気吹出口７に沿うようにしてそれぞれ形成されている。該各凹溝１８の端部には、該凹溝１８の底部に向かって傾斜した傾斜壁１８ａが形成されている。該傾斜壁１８ａは、側面側からの室内空気Ｗ′の巻き込みを容易となす作用を発揮する。このようにすると、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収されることとなる。このとき、空気吹出口７から離れ位置において弱い２次流れｗ″は生ずるものの、強い２次流れｗに乗った汚れ粒子Ｐは凹溝１８に吸収されることとなり、天井面Ｃへの付着が格段に低減されることとなる。従って、天井面Ｃの汚れを効果的に防止することができる。その他の構成は、第１の実施の形態におけると同様なので説明を省略する。
【００３６】
第６の実施の形態
図１３には、本願発明の第６の実施の形態にかかる空気調和機が示されている。
【００３７】
この場合、各空気吹出口７の外側口縁７ａには、天井面Ｃ近傍に生ずる２次流れｗを吸収する凹溝１８が前記各空気吹出口７に沿うようにしてそれぞれ形成されており、該各凹溝１８には、静電材料１９，１９，１９が貼り替え可能に貼り付けられている。このようにすると、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収されることとなる。このとき、空気吹出口７から離れ位置において弱い２次流れｗ″は生ずるものの、強い２次流れｗに乗った汚れ粒子Ｐは凹溝１８に吸収されることとなり、天井面Ｃへの付着が格段に低減されることとなる。しかも、凹溝１８に吸収される２次流れｗに乗った汚れ粒子Ｐが凹溝１８内において静電材料１９に吸着捕獲されることとなり、天井面Ｃへの汚れ付着をより効果的に低減できる。なお、静電材料１９に多くの汚れ粒子Ｐが吸着して見苦しくなると、静電材料１９を新しいものに貼り代えればよい。その他の構成は、第１の実施の形態におけると同様なので説明を省略する。
【００３８】
第７の実施の形態
図１４には、本願発明の第７の実施の形態にかかる空気調和機が示されている。
【００３９】
この場合、各空気吹出口７の外側口縁７ａには、天井面Ｃ近傍に生ずる２次流れｗを吸収する凹溝１８が前記各空気吹出口７に沿うようにしてそれぞれ形成されている。このようにすると、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収されることとなる。このとき、空気吹出口７から離れ位置において弱い２次流れｗ″は生ずるものの、強い２次流れｗに乗った汚れ粒子Ｐは凹溝１８に吸収されることとなり、天井面Ｃへの付着が格段に低減されることとなる。従って、天井面Ｃの汚れを効果的に防止することができる。その他の構成は、第１の実施の形態におけると同様なので説明を省略する。
【００４０】
第８の実施の形態
図１５には、本願発明の第８の実施の形態にかかる空気調和機の吹出パネルが示されている。
【００４１】
この場合、空気吹出口７が円環形状とされており、該空気吹出口７の外側口縁７ａには、天井面Ｃ近傍に生ずる２次流れｗを吸収する円環形状の凹溝１８が前記空気吹出口７に沿うようにして形成されている。このようにすると、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収されることとなる。このとき、空気吹出口７から離れ位置において弱い２次流れｗ″は生ずるものの、強い２次流れｗに乗った汚れ粒子Ｐは凹溝１８に吸収されることとなり、天井面Ｃへの付着が格段に低減されることとなる。しかも、空気吹出口７の全域に対応する部位に生ずる２次流れｗが凹溝１８に吸収されることとなり、２次流れｗに乗った汚れ粒子Ｐの天井面Ｃへの付着がより効果的に低減できる。従って、天井面Ｃの汚れを効果的に防止することができる。その他の構成は、第１の実施の形態におけると同様なので説明を省略する。
【００４２】
第９の実施の形態
図１６には、本願発明の第９の実施の形態にかかる空気調和機が示されている。
【００４３】
この場合、この空気調和機は、図示省略されている空気調和機本体からダクトを介して調和空気が送り込まれるチャンバー２２を備えており、該チャンバー２２からの吹出調和空気Ｗを吹出パネル２の円環形状の空気吹出口７から室内へ吹き出すように構成されているエアハンドリングタイプとされている。符号２３は吹出空気Ｗをガイドするガイド部材である。そして、前記空気吹出口７の外側口縁７ａには、天井面Ｃ近傍に生ずる２次流れｗを吸収する円環形状の凹溝１８が前記空気吹出口７に沿うようにして形成されている。このようにすると、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収されることとなる。このとき、空気吹出口７から離れ位置において弱い２次流れｗ″は生ずるものの、強い２次流れｗに乗った汚れ粒子Ｐは凹溝１８に吸収されることとなり、天井面Ｃへの付着が格段に低減されることとなる。しかも、空気吹出口７の全域に対応する部位に生ずる２次流れｗが凹溝１８に吸収されることとなり、２次流れｗに乗った汚れ粒子Ｐの天井面Ｃへの付着がより効果的に低減できる。従って、天井面Ｃの汚れを効果的に防止することができる。
【発明の効果】
【００４４】
請求項１の発明によれば、天井面Ｃに形成された開口１３に臨むように配置され且つ送風機４と該送風機４を囲繞する熱交換器５とを内蔵した空気調和機本体１と、前記開口１３を覆うとともに室内へ空調空気を吹き出す空気吹出口７を形成してなる吹出パネル２とを有する空気調和機において、前記吹出パネル２の外周部に、前記天井面Ｃに沿う付加的吹出流れｗ′を発生させる補助吹出口１４を形成するとともに、該補助吹出口１４と前記熱交換器５の風上側とを連通するバイパス通路１５を設けて、空気調和機の運転中（特に、冷房運転中）において、補助吹出口１４から天井面Ｃに沿う付加的吹出流れｗ′を形成するようにしているので、該付加的吹出流れｗ′のエアーカーテン作用によって、空気吹出口７からの吹出空気流Ｗと天井面Ｃに近い静止した空気との速度差により天井面Ｃの近傍の低圧域Ｆに発生する２次流れｗに乗った汚れ粒子Ｐの天井面Ｃへの付着が格段に低減されることとなり、天井面Ｃの汚れを効果的に防止することができるという効果がある。しかも、補助吹出口１４からの付加的吹出流れｗ′は、熱交換器５を通過する前の１次空気となるため、例えば天井面Ｃに結露等が生じるということがなくなるという効果もある。  請求項２の発明におけるように、請求項１記載の空気調和機において、前記バイパス通路１５を、前記熱交換器５の下側を通って前記補助吹出口１４に至る通路により構成した場合、バイパス通路１５の長さを可及的に短くすることができる。
【００４５】
請求項３の発明におけるように、請求項１記載の空気調和機において、前記バイパス通路１５を、前記空気調和機本体１のケーシング３外壁に沿って前記補助吹出口１４に至る通路により構成した場合、外方に露出している部分にバイパス通路１５が形成されることとなり、通路構成が容易となる。
【００４６】
請求項４の発明におけるように、請求項１記載の空気調和機において、前記バイパス通路１５を、前記空気調和機本体１のケーシング３内壁に沿って前記補助吹出口１４に至る通路により構成した場合、空気調和機本体１の外寸を大きくすることなくバイパス通路１５を形成できることとなり、製品のコンパクト化に寄与する。
【００４７】
請求項５の発明におけるように、請求項１記載の空気調和機において、前記バイパス通路１５を、前記空気調和機本体１のケーシング３内面に配設された断熱材１６の中を通って前記補助吹出口１４に至る通路により構成した場合、空気調和機本体１の外寸を大きくすることなくバイパス通路１５を形成できることとなり、製品のコンパクト化に寄与するとともに、予めバイパス通路１５を形成した断熱材１６をケーシング３の内面に配設すればよいこととなり、通路構成が容易となる。
【００４８】
請求項６の発明におけるように、請求項１、２、３、４および５のいずれか一項記載の空気調和機において、前記補助吹出口１４を、少なくとも前記空気吹出口７の全体に対応する部位に形成した場合、空気吹出口７から吹き出される空気流Ｗと天井面Ｃに近い静止した空気との速度差により天井面Ｃの近傍の低圧域Ｆに発生する２次流れｗに乗った汚れ粒子Ｐの天井面Ｃへの付着が、補助吹出口１４からの付加的吹出流れｗ′により少なくとも空気吹出口７の全面で防止されることとなり、汚れ防止効果が大きくなる。
【００４９】
請求項７の発明におけるように、請求項１、２、３、４および５のいずれか一項記載の空気調和機において、前記補助吹出口１４を、前記空気吹出口７において吹出速度勾配が大きな端部付近に対応する部位にのみ形成した場合、２次流れｗに乗った汚れ粒子Ｐの天井面Ｃへの付着が顕著に生ずる部位に限定して付加的吹出流れｗ′が発生することとなり、効率的な汚れ付着防止効果が得られる。
【００５０】
請求項８の発明におけるように、請求項１、２、３、４、５、６および７のいずれか一項記載の空気調和機において、前記バイパス通路１５に、必要に応じて開閉作動されるダンパー１７を付設した場合、空気吹出口７からの吹出空気流Ｗの向きが略水平方向となるとき以外は付加的吹出流れｗ′を発生させる必要がないため、ダンパー１７を閉作動させることにより、無駄な付加的吹出流れｗ′を発生しなくともよくなる。
【００５１】
請求項９の発明によれば、天井面Ｃに形成された開口１３に臨むように配置された空気調和機本体１と、前記開口１３を覆うとともに室内へ空調空気を吹き出す空気吹出口７を形成してなる吹出パネル２とを有する空気調和機において、前記空気吹出口７の外側口縁７ａに、天井面Ｃ近傍に生ずる２次流れｗを吸収する凹溝１８を前記空気吹出口７に沿うようにして形成するとともに、前記凹溝１８内に、静電材料１９を貼り替え可能に貼り付けて、空気調和機の運転中（特に、冷房運転中）において、空気吹出口７からの吹出空気流Ｗと天井面Ｃに近い静止した空気との速度差により天井面Ｃの近傍の低圧域Ｆに発生する２次流れｗが凹溝１８に吸収できるようにしたので、２次流れｗに乗った汚れ粒子Ｐの天井面Ｃへの付着が格段に低減されることとなり、天井面Ｃの汚れを効果的に防止することができるという効果がある。しかも、凹溝１８内に、静電材料１９を貼り替え可能に貼り付けたことにより、凹溝１８に吸収される２次流れｗに乗った汚れ粒子Ｐが凹溝１８内において静電材料１９に吸着捕獲されることとなり、天井面Ｃへの汚れ付着をより効果的に低減できるという効果もある。なお、静電材料１９に多くの汚れ粒子Ｐが吸着して見苦しくなると、静電材料１９を新しいものに貼り代えればよい。
【００５２】
請求項１０の発明におけるように、請求項９記載の空気調和機において、前記空気吹出口７を円環形状とするとともに、前記凹溝１８を円環形状とした場合、空気吹出口７の全域に対応する部位に生ずる２次流れｗが凹溝１８に吸収されることとなり、２次流れｗに乗った汚れ粒子Ｐの天井面Ｃへの付着がより効果的に低減できる。
【図面の簡単な説明】
【図１】  本願発明の第１の実施の形態にかかる空気調和機の縦断面図である。
【図２】  本願発明の第１の実施の形態にかかる空気調和機における吹出パネルの要部を示す部分斜視図である。
【図３】  本願発明の第１の実施の形態にかかる空気調和機における吹出空気流および付加的吹出流れの態様を示す下面図である。
【図４】  本願発明の第２の実施の形態にかかる空気調和機の半縦断面図である。
【図５】  本願発明の第２の実施の形態にかかる空気調和機における吹出空気流および付加的吹出流れの態様を示す下面図である。
【図６】  本願発明の第３の実施の形態にかかる空気調和機の半縦断面図である。
【図７】  本願発明の第３の実施の形態にかかる空気調和機におけるバイパス通路の形成例を示す部分拡大断面図であり、（イ）はバイパス通路をケーシングと断熱材との間に形成した例を示し、（ロ）はバイパス通路を断熱材内に形成した例を示している。
【図８】  本願発明の第４の実施の形態にかかる空気調和機の半縦断面図である。
【図９】  本願発明の第４の実施の形態にかかる空気調和機におけるバイパス通路入口部分の拡大断面図である。
【図１０】  本願発明の第５の実施の形態にかかる空気調和機の半縦断面図である。
【図１１】  本願発明の第５の実施の形態にかかる空気調和機における吹出パネルの要部を示す部分斜視図である。
【図１２】  本願発明の第５の実施の形態にかかる空気調和機の下面図である。
【図１３】  本願発明の第６の実施の形態にかかる空気調和機の要部を示す拡大断面図である。
【図１４】  本願発明の第７の実施の形態にかかる空気調和機の要部を示す拡大断面図である。
【図１５】  本願発明の第８の実施の形態にかかる空気調和機における吹出パネルを示す斜視図である。
【図１６】  本願発明の第９の実施の形態にかかる空気調和機の縦断面図である。
【図１７】  従来の空気調和機の縦断面図である。
【図１８】  従来の空気調和機における吹出空気流の状態を説明する下面図である。
【符号の説明】
１は空気調和機本体、２は吹出パネル、３はケーシング、４は送風機、５は熱交換器、６は空気吸込口、７は空気吹出口、７ａは外側口縁、１３は開口、１４は補助吹出口、１５はバイパス通路、１６は断熱材、１７はダンパー、１８は凹溝、１９は静電材料、Ｃは天井面、Ｗは空調空気、ｗは２次流れ、ｗ′は付加的吹出流れ。
【図１】
0004505939.tif 000002
【図２】
0004505939.tif 000003
【図３】
0004505939.tif 000004
【図４】
0004505939.tif 000005
【図５】
0004505939.tif 000006
【図６】
0004505939.tif 000007
【図７】
0004505939.tif 000008
【図８】
0004505939.tif 000009
【図９】
0004505939.tif 000010
【図１０】
0004505939.tif 000011
【図１１】
0004505939.tif 000012
【図１２】
0004505939.tif 000013
【図１３】
0004505939.tif 000014
【図１４】
0004505939.tif 000015
【図１５】
0004505939.tif 000016
【図１６】
0004505939.tif 000017
【図１７】
0004505939.tif 000018
【図１８】
0004505939.tif 000019